(57)【要約】【課題】水中で泳動して誘魚効果を奏する誘魚泳動部材を魚が食いつきたくなるようにあたかも生物のように魅惑的に動作させることができるようにしたルアーを提供する。【解決手段】ルアー本体１が、略円弧状の背面部２と略平坦状の底面部３とを有して側面視で略Ｄ字状をなし、釣り糸４を係止させるための係止部５が背面部２の一端寄りの部位に設けられ、釣り針６と、水中で泳動して誘魚効果を奏する誘魚泳動部材７と、が背面部２の他端もしくはその近傍部位に、それぞれ着脱自在に取り付けられ、ルアー本体１がリーリングされる際に、背面部２に沿って形成される整流Ｃと、底面部３に沿って形成される乱流Ｔ１と、が背面部２及び底面部３の他端辺りで合流して別の乱流Ｔ２となり、その乱流Ｔ２によって誘魚泳動部材７が浮き上がり釣り針６を隠蔽しつつあたかも生物のように魅惑的な泳動動作をする。【選択図】  図５
2008000092.tif 000002
【特許請求の範囲】
【請求項１】
ルアー本体（１）が略円弧状の背面部（２）と略平坦状の底面部（３）とを有して側面視で略Ｄ字状をなし、釣り糸（４）を係止させるための係止部（５）が前記背面部（２）の一端（Ｉ）寄りの部位に設けられ、釣り針（６）と、水中で泳動して誘魚効果を奏する誘魚泳動部材（７）と、が前記背面部（２）の他端（Ｔ）もしくはその近傍部位に、それぞれ着脱自在に取り付けられ、
前記ルアー本体（１）がリーリングされる際に、前記背面部（２）に沿って形成される整流（Ｃ）と、前記底面部（３）に沿って形成される乱流（Ｔ１）と、が前記背面部（２）及び底面部（３）の他端（Ｔ）辺りで合流して別の乱流（Ｔ２）となり、その別の乱流（Ｔ２）によって前記誘魚泳動部材（７）が浮遊状態となり前記釣り針（６）を隠蔽しつつあたかも生物のような泳動動作をすることを特徴とするルアー。
【請求項２】
前記釣り針（６）を着脱自在に係止させるための係止部（８）が前記背面部（２）の他端（Ｔ）寄りの部位に設けられ、かつ、前記誘魚泳動部材（７）を着脱自在に係止させるための係止部（９）が前記背面部（２）の他端（Ｔ）に設けられることを特徴とする請求項１に記載のルアー。
【請求項３】
前記誘魚泳動部材（７）は、ネクタイ状に形成された細長い短冊であることを特徴とする請求項１又は２に記載のルアー。
【請求項４】
前記誘魚泳動部材（７）は、ネクタイ状に形成された細長い短冊（７ａ）と、該短冊（７ａ）よりも短くて細い複数のゴム紐（７ｂ）と、からなることを特徴とする請求項１又は２に記載のルアー。
【発明の詳細な説明】
【技術分野】
【０００１】
本発明は、魚釣り用のルアー（疑似餌）に係り、特に、真鯛釣りに好適なルアーに関する。
【背景技術】
【０００２】
従来よりルアーは魚の形状を模したものが提案されている。このようなルアーは、図示は省略するが、釣り針とスカートを備え、リーリングする際に、泳動するスカートによって釣り針を隠しつつ誘魚効果を奏するように構成されていることが多い（例えば、特許文献１，２参照）。
【特許文献１】特開２００２−３４３９３号公報
【特許文献２】特開２００４−４９１２５号公報
【発明の開示】
【発明が解決しようとする課題】
【０００３】
従来のルアーは、前述したように、リーリングする際に、スカート（又は羽根、フラスカート等）が釣り針を隠しつつ泳動することによって誘魚効果を奏するとされているが、そのスカートは、リーリング時に受ける一方向の水の抵抗に従って泳動するだけであるから、その動作がきわめて単調であり誘魚効果に乏しい。
【０００４】
誘魚効果を向上させるためには、スカート等の誘魚泳動部材を魚が食いつきたくなるようにあたかも生物であるかのように魅惑的に動作させなければならない。そのためには、リーリング時に誘魚泳動部材の周囲で乱流を発生させるような工夫が求められる。しかし、従来のルアーには、このような技術的思想は全くなく、また、従来の公報にはそれを示唆する記載もない。
【０００５】
本発明は、このような実情に鑑みてなされ、水中で泳動して誘魚効果を奏する誘魚泳動部材を魚が食いつきたくなるようにあたかも生物のように魅惑的に動作させることができるようにしたルアーを提供することを目的とする。
【課題を解決するための手段】
【０００６】
本発明のルアーは、ルアー本体１が略円弧状の背面部２と略平坦状の底面部３とを有して側面視で略Ｄ字状をなし、釣り糸４を係止させるための係止部５が前記背面部２の一端Ｉ寄りの部位に設けられ、釣り針６と、水中で泳動して誘魚効果を奏する誘魚泳動部材７と、が前記背面部２の他端Ｔもしくはその近傍部位に、それぞれ着脱自在に取り付けられ、
前記ルアー本体１がリーリングされる際に、前記背面部２に沿って形成される整流Ｃと、前記底面部３に沿って形成される乱流Ｔ１と、が前記背面部２及び底面部３の他端Ｔ辺りで合流して別の乱流Ｔ２となり、その乱流Ｔ２によって前記誘魚泳動部材７が浮遊状態となり前記釣り針６を隠蔽しつつあたかも生物のような泳動動作をすることを特徴とする。
【０００７】
このような構成によれば、ルアー本体１がリーリングされる際に、背面部２に沿って形成される整流Ｃと、底面部３に沿って形成される乱流Ｔ１と、が背面部２及び底面部３の他端Ｔ辺りで合流して別の乱流Ｔ２となり、その乱流Ｔ２によって誘魚泳動部材７が浮遊状態となり釣り針６を隠蔽しつつあたかも生物のように魅惑的な泳動動作をするので、魚が食いつきたくなるようなすぐれた誘魚効果を奏し、よく釣れることになる。
【０００８】
また、消耗品である釣り針６と誘魚泳動部材７が、ルアー本体１に着脱自在に取り付けられているため、適宜、交換することきができ、また、特に、誘魚泳動部材７は、異なる色彩や形状のものを用意しておくことで、そのときの釣り条件に応じて、適切な選択が可能となり、誘魚効果をより一層向上させることができる。
【０００９】
このようなルアーでは、釣り針６を着脱自在に係止させるための係止部８が前記背面部２の他端Ｔ寄りの部位に設けられ、かつ、前記誘魚泳動部材７を着脱自在に係止させるための係止部９が前記背面部２の他端Ｔに設けられてもよい。このようにすれば、リーリング時には、背面部２に沿って形成される整流Ｃが、背面部２及び底面部３の他端Ｔ辺りで、底面部３に沿って形成される乱流Ｔ１と合流することでさらに別の乱流Ｔ２となるため、その別の乱流Ｔ２によって誘魚泳動部材７が浮遊状態となり釣り針６を隠蔽しつつあたかも生物のように魅惑的に泳動動作し、すぐれた誘魚効果を奏する。
【００１０】
前記誘魚泳動部材７は、ネクタイ状に形成された細長い短冊であってもよい。このようにすれば、別の乱流Ｔ２によってあたかも生物のように複雑に揺れ動くような泳動動作をするので誘魚効果が向上する。
【００１１】
前記誘魚泳動部材７は、ネクタイ状に形成された細長い短冊７ａと、該短冊７ａよりも短くて細い複数のゴム紐７ｂと、からなるものであってもよい。このようにすれば、複数のゴム紐７ｂによって釣り針６を隠蔽しつつ細長い短冊７ａがあたかも生物のように複雑に揺れ動くので誘魚効果をより一層向上させることができる。
【発明の効果】
【００１２】
本発明のルアーは、ルアー本体がリーリングされる際に、円弧状に形成された背面部に沿って形成される整流と、平坦状に形成された底面部に沿って形成される乱流と、が前記背面部の他端辺りで合流して乱流となり、その乱流によって誘魚泳動部材が浮遊状態となり釣り針を隠蔽しつつあたかも生物のように魅惑的に泳動動作するので、すぐれた誘魚効果を奏し、よく釣れることになる。
【００１３】
また、消耗品である釣り針と誘魚泳動部材が、ルアー本体に着脱自在に取り付けられているため、適宜、交換することきができ、また、特に、誘魚泳動部材は、異なる色彩や形状のものを用意しておくことで、そのときの釣り条件に応じて、適切な選択が可能となり、誘魚効果をより一層向上させることができる。
【発明を実施するための最良の形態】
【００１４】
以下に、本発明のルアーの実施の一形態について図面を参照しつつ詳細に説明する。
図１はルアーの全体図、図２（ａ）はルアー本体の側面図、（ｂ）は正面図、（ｃ）は平面図、図５は誘魚効果を説明するための動作説明図である。これらの図において、符号１はルアー本体で、例えば、鉛、錫、タングステン等からなり、略円弧状の背面部２と略平坦状の底面部３とを有して側面視で略Ｄ字状をなし、釣り糸４を係止させるためのリング状の係止部５が背面部２の一端Ｉ寄りの部位に設けられ、釣り針６を着脱自在に係止させるためのリング状の係止部８が背面部２の他端Ｔ寄りの部位に設けられ、かつ、誘魚泳動部材７を着脱自在に係止させるための係止部９が背面部２の他端に設けられている。
【００１５】
より詳しく説明すると、釣り糸４を係止させる係止部５は、釣り糸４を係止させてルアー本体１を吊り下げた際に、背面部２と底面部３が交差する他端が下方に向くような位置、つまり、背面部２の一端Ｉ寄りの部位、より詳細には、底面部３の一端Ｉ側から立ち上がる背面部２の斜辺の中間辺りの部位に設けられている。なお、背面部２の一端Ｉ寄りの部位とは、背面部２の一端Ｉと他端Ｔの中間位置から一端Ｉまでの間の部位をいい、ルアー本体１が設計変更された場合に、その間の部位で適宜に係止部５の位置を選択することができる。また、釣り針６を係止させるためのリング状の係止部８には、例えば、スプリットリング１０を介して釣り針６に接続された糸６ａを着脱自在に接続することができる。即ち、図１の例では、釣り針６に接続された糸６ａを折り曲げてシリコンチューブ１１に通し、そのスプリットリング１０を係止部８に係止させている。また、誘魚泳動部材７を係止させるための係止部９は、軸部９ａの先端に抜け止め用の先尖り状に形成されたヘッド部９ｂを有し、ネクタイ状に形成された細長い短冊７ａと細い複数のゴム紐７ｂとからなる誘魚泳動部材７を挿通させたシリコンリング１１をヘッド部９ｂから軸部９ａに押込むことで抜け止め状態に係止させることができる（図３（ｃ）参照）。
【００１６】
このような構成により、ルアー本体１がリーリングされる際には、例えば、図５に示すように、引き上げられるルアー本体１の背面部２に沿って整流Ｃが形成される一方、底面部３に沿って乱流Ｔ１が形成され、その整流Ｃと乱流Ｔ１が背面部２及び底面部３の他端辺りで合流して別の乱流Ｔ２となり、その別の乱流Ｔ２によって誘魚泳動部材７（ネクタイ状の細長い短冊７ａと細いゴム紐７ｂからなる）が浮遊状態となり釣り針６を隠蔽しつつあたかも生物のように魅惑的な泳動動作をすることになる。このような誘魚泳動部材７の泳動動作が、ルアー本体１の餌に似た形状に加味されることで、例えば、周囲にいる魚に食いつきたいという欲望をおこさせ、例えば、真鯛等を釣り上げることができる。なお、真鯛に限らず、その他の鰺、鯖、石首魚、鰆等々にも好適である。また、この例では、釣り針６に接続された糸６ａをループ状にしてシリコンチューブ１１に通してルアー本体１に接続しているため、釣り針６の方向性がある程度確保され誘魚泳動部材７による隠蔽効果も向上し、また、釣り針６が釣り糸４に絡むことも少なくなる。
【００１７】
また、消耗品である釣り針６と誘魚泳動部材７が、ルアー本体１に着脱自在に取り付けられているため、適宜、交換することきができ、ルアー本体１や誘魚泳動部材７は、異なる色彩や形状のものを用意しておくことで、そのときの釣り条件に応じて、適切な選択が可能となり、誘魚効果をより一層向上させることができる。ルアー本体１は、例えば、オレンジ、レッド、ガンメタ、ピンクパック、オレンジゴールド、レッドゴールド、グリーンゴールド、ブラックゴールド、パープル、グローゴールド等々に着色したものがあり、ネクタイ状の細長い短冊７ａや細いゴム紐７ｂも、同様に、黄、赤、オレンジ、グリーン等の色違いのものを組み合わせて使用することができる。そのネクタイ状の細長い短冊７ａの素材として、ゴムの他、特に、ファーラビット（兎の皮）は水中で誘魚効果の高い泳動動作をするため好適である。
【００１８】
このような誘魚泳動部材７は、例えば、ネクタイ状の細長い短冊７ａのみ（図３（ａ）参照）、または、細いゴム紐７ｂのみ（図３（ｂ）参照）を、それぞれシリコンリング１１に挿通させたものを単独で用いることもできる。また、釣り針６の接続方法については、例えば、図４（ａ）に示すように、平滑なリング部材１２に糸６ａを結びつけて、そのリング部材１２に接続したスプリットリング１０をリング状の係止部８に係止させてもよく、図４（ｂ）に示すように、ループ状にした糸６ａをシリコンチューブ１１に通し、そのループ状部に嵌めたスプリットリング１０を係止部８に係止させてもよく（図１参照）、図４（ｃ）に示すように、ループ状にした糸６ａを金属製スリーブ１３に通して固定した後、その金属製スリーブ１２をシリコンチューブ１１で覆うようにしてもよい。このように金属製スリーブ１２でループ状にした糸６ａを固定すると、釣り針６に魚が掛かったたときに糸６ａがずれなくなるためより確実に釣り上げることができる。
【００１９】
一方、ルアー本体１については、例えば、図６（ａ）に示すように、誘魚泳動部材７を係止させるための係止部９は、軸部９ａの先端に係止リング９ｄを形成したものであってもよい。この場合、その軸部９ａに誘魚泳動部材７を係止させて、係止リング９ｄに釣り針６を係止させることができる。また、図６（ｂ）に示すように、誘魚泳動部材７を係止させるための係止部９をリング状に形成してもよい。この場合、その係止部９に、スプリットリング等を介して誘魚泳動部材７を係止させればよい。さらに、図６（ｃ）に示すように、係止部９をやや大きめのリング状に形成して図６（ａ）（ｂ）に示す係止部８を兼用させてもよい。即ち、その係止部９に、スプリットリング等を介して釣り針６と誘魚泳動部材７を係止させてもよい。
【００２０】
なお、本発明は、実施の形態に限定されることなく、発明の要旨を逸脱しない限りにおいて、適宜、必要に応じて、設計変更や改良等を行うのは自由であり、例えば、誘魚泳動部材７は、水中で泳動して誘魚効果を奏するものであればよく、ゴム紐やネクタイ等の他、適宜な形状、素材、色彩等々が選択されてよい。また、釣り糸４や釣り針６、誘魚泳動部材７のルアー本体１への係止方法は適宜に選択されてよく、例えば、釣り糸４や釣り針６に接続されている糸を係止部５，８に直接結んでもよく、誘魚泳動部材７も糸で係止部９に結び付けてもよい。
【００２１】
さらに、ルアー本体１は、略円弧状の背面部２と略平坦状の底面部３とを有して側面視で略Ｄ字状をなし、釣り糸４を係止させるための係止部５が背面部２の一端寄りの部位に設けられ、釣り針６と、水中で泳動して誘魚効果を奏する誘魚泳動部材７を背面部２の他端もしくはその近傍部位に、それぞれ着脱自在に取り付けることができ、ルアー本体１がリーリングされる際に、背面部２に沿って形成される整流Ｃと、底面部３に沿って形成される乱流Ｔ１と、が背面部２及び底面部３の他端辺りで合流して別の乱流Ｔ２となるように形成されればよく、適宜、必要に応じて形状の変更、改良等は自由である。
【図面の簡単な説明】
【００２２】
【図１】本発明の実施の形態に係るルアーの全体図である。
【図２】（ａ）は同ルアー本体の側面図、（ｂ）は正面図、（ｃ）は平面図である。
【図３】（ａ）は同着脱自在なネクタイ（誘魚泳動部材）の説明図、（ｂ）は同着脱自在なゴム紐（誘魚泳動部材）の説明図、（ｃ）は同ネクタイとゴム紐を合体させた誘魚泳動部材の説明図である。
【図４】（ａ）は同リング部材にスプリットリングを接続した釣り針の説明図、（ｂ）は同シリコンチューブを釣り針の糸に通した場合の説明図、（ｃ）は同金属製スリーブで釣り針の糸を固定してさらにシリコンチューブを被せた場合の説明図である。
【図５】同リーリング時の誘魚効果の説明図である。
【図６】（ａ）は同異なるルアー本体の側面図、（ｂ）同別のルアー本体の側面図、（ｃ）同さらに別のルアー本体の側面図である。
【符号の説明】
【００２３】
１…ルアー本体、２…背面部、３…底面部、４…釣り糸、５，８，９…係止部、６…釣り針、７…誘魚泳動部材、７ａ…ネクタイ状の細長い短冊、７ｂ…ゴム紐、Ｃ…整流、Ｉ…一端、Ｔ…他端、Ｔ１…乱流，Ｔ２…別の乱流
【図１】
2008000092.tif 000003
【図２】
2008000092.tif 000004
【図３】
2008000092.tif 000005
【図４】
2008000092.tif 000006
【図５】
2008000092.tif 000007
【図６】
2008000092.tif 000008